(57)【特許請求の範囲】
【請求項１】
装置の動作状態を設定する方法であって、
サーバによって、
第１装置の動作モードを検出することと、
前記第１装置に関連する第２装置を制御して動作モードを前記第１装置の動作モードにマッチングするターゲットモードに調整させることと、
を含み、
前記第１装置に関連する前記第２装置を制御して動作モードをターゲットモードに調整させることは、
前記第１装置に関連し、現在の動作モードが前記第１装置の動作モードにマッチングしない装置情報を含む関連装置情報を前記第１装置に送信することと、
前記第１装置から送信された関連装置情報に対する選択コマンドを受信すること、及び
前記選択コマンドにより指示される前記第２装置を制御して動作モードをターゲットモードに調整させることと、を含むことを特徴とする方法。
【請求項２】
前記第１装置に関連する前記第２装置を制御して動作モードをターゲットモードに調整させることは、
前記サーバによって、前記第１装置がサイレントモードにあると検出した場合に応答し、前記第２装置を制御してサイレントモードに調整させることを含むことを特徴とする請求項１に記載の方法。
【請求項３】
前記第１装置のモードを検出することは、
前記サーバによって、
第１装置から送信されたサイレントモードコマンドを受信することと、
前記サイレントモードコマンドを受信した場合に応答し、前記第１装置がサイレントモードにあることを確定することと、を含むことを特徴とする請求項２に記載の方法。
【請求項４】
前記ターゲットモードが前記第１装置の動作モードと同じであることを特徴とする請求項１に記載の方法。
【請求項５】
装置の動作状態を設定する方法であって、
第１装置によって、
前記第１装置の現在の動作モードを検出することと、
動作モード情報を含む第１通知メッセージをサーバに送信することと、
前記サーバから送信され前記第１通知メッセージに基づき取得された、関連した、現在の動作モードが前記第１装置の動作モードにマッチングしない装置情報を含む関連装置情報を出力することと、
前記関連装置情報に対する選択操作を検出すること、及び
前記選択操作を検出した場合に応答し、前記サーバが選択コマンドにより指示される第２装置を制御して動作モードをターゲットモードに調整させるように指示するための選択コマンドを前記サーバに送信することと、
を含むことを特徴とする方法。
【請求項６】
前記方法は、さらに、
前記第１装置によって、現在の動作モードがサイレントモードであると検出した後、前記第１装置がサイレントモードを設定していることを音声でユーザーに通知することを特徴とする請求項５に記載の方法。
【請求項７】
装置の動作状態を設定する装置であって、
第１装置の動作モードを検出するように配置された検出モジュールと、
前記第１装置に関連する第２装置を制御して動作モードを前記検出モジュールにより検出された前記第１装置の動作モードにマッチングするターゲットモードに調整させるように配置された制御モジュールと、
を含み、
前記制御モジュールは、
前記第１装置に関連し、現在の動作モードが前記第１装置の動作モードにマッチングしない装置情報を含む関連装置情報を前記第１装置に送信するように配置された送信サブモジュールと、
前記第１装置から送信されて前記関連装置情報に対する選択コマンドを受信するように配置された受信サブモジュールと、
前記選択コマンドにより指示される前記第２装置を制御して動作モードをターゲットモードに調整させるように配置された制御サブモジュールとを含むことを特徴とする装置。
【請求項８】
前記制御モジュールは、
前記検出モジュールが前記第１装置がサイレントモードにあると検出した場合に応答し、前記第２装置を制御してサイレントモードに調整させるように配置されたサイレント制御サブモジュールを含むことを特徴とする請求項７に記載の装置。
【請求項９】
前記検出モジュールは、
前記第１装置から送信されたサイレントモードコマンドを受信するように配置された第２受信サブモジュールと、
前記第２受信サブモジュールが前記サイレントモードコマンドを受信した場合に応答し、前記第１装置がサイレントモードにあることを確定するように配置された確定サブモジュールと、
を含むことを特徴とする請求項８に記載の装置。
【請求項１０】
前記ターゲットモードが前記第１装置の動作モードと同じであることを特徴とする請求項７に記載の装置。
【請求項１１】
装置の動作状態を設定する装置であって、
第１装置の現在の動作モードを検出するように配置された第１検出モジュールと、
動作モード情報を含む第１通知メッセージをサーバに送信するように配置された第１送信モジュールと、
前記サーバから送信され前記第１通知メッセージに基づき取得された、関連した、現在の動作モードが前記第１装置の動作モードにマッチングしない装置情報を含む関連装置情報を出力するように配置された出力モジュールと、
前記関連装置情報に対する選択操作を検出するように配置された第２検出モジュール、及び
前記第２検出モジュールが前記選択操作を検出した場合に応答し、前記サーバが選択コマンドにより指示される第２装置を制御して動作モードをターゲットモードに調整させるように指示するための選択コマンドを前記サーバに送信するように配置された第２送信モジュールと、
を含むことを特徴とする装置。
【請求項１２】
前記第１検出モジュールが前記第１装置の現在の動作モードがサイレントモードであると検出した後、前記第１装置がサイレントモードを設定していることを音声でユーザーに通知するように配置された通知モジュールを含むことを特徴とする請求項１１に記載の第１装置。
【請求項１３】
装置の動作状態を設定する装置であって、
第１装置の動作モードを検出し、
前記第１装置に関連する第２装置を制御して動作モードを前記第１装置の動作モードにマッチングするターゲットモードに調整させるように配置された、
プロセッサと、
プロセッサが実行可能なコマンドを記憶するメモリと、
を含み、
前記第１装置に関連する前記第２装置を制御して動作モードをターゲットモードに調整させることは、
前記第１装置に関連し、現在の動作モードが前記第１装置の動作モードにマッチングしない装置情報を含む関連装置情報を前記第１装置に送信することと、
前記第１装置から送信された関連装置情報に対する選択コマンドを受信すること、及び
前記選択コマンドにより指示される前記第２装置を制御して動作モードをターゲットモードに調整させることと、を含むことを特徴とする装置。
【請求項１４】
装置の動作状態を設定する装置であって、
第１装置の現在の動作モードを検出し、
動作モード情報を含む第１通知メッセージをサーバに送信し、
前記サーバから送信され前記第１通知メッセージに基づき取得された、関連した、現在の動作モードが前記第１装置の動作モードにマッチングしない装置情報を含む関連装置情報を出力し、
前記関連装置情報に対する選択操作を検出し、
前記選択操作を検出した場合に応答し、前記サーバが選択コマンドにより指示される第２装置を制御して動作モードをターゲットモードに調整させるように指示するための選択コマンドを前記サーバに送信するように配置された、
プロセッサと、
プロセッサが実行可能なコマンドを記憶するメモリと、
を含むことを特徴とする方法。
【請求項１５】
装置の動作状態を設定するシステムであって、
第１装置と、サーバ、及び少なくとも一つの第２装置と、
を含み、
前記サーバは、前記第１装置の動作モードを検出し、
前記第１装置に関連する前記第２装置を制御して動作モードを前記第１装置の動作モードにマッチングするターゲットモードに調整させるように配置され、
前記第１装置に関連する前記第２装置を制御して動作モードをターゲットモードに調整させることは、
前記第１装置に関連し、現在の動作モードが前記第１装置の動作モードにマッチングしない装置情報を含む関連装置情報を前記第１装置に送信することと、
前記第１装置から送信された関連装置情報に対する選択コマンドを受信すること、及び
前記選択コマンドにより指示される前記第２装置を制御して動作モードをターゲットモードに調整させることと、を含むことを特徴とするシステム。
【請求項１６】
前記第１装置は、
現在の動作モードを検出し、
動作モード情報を含む第１通知メッセージを前記サーバに送信し、
前記サーバから送信され前記第１通知メッセージに基づき取得された、関連した、現在の動作モードが前記第１装置の動作モードにマッチングしない装置情報を含む関連装置情報を出力し、
前記関連装置情報に対する選択操作を検出し、
前記選択操作を検出した場合に応答し、前記サーバが選択コマンドにより指示される前記第２装置を制御して動作モードをターゲットモードに調整させるように指示するための選択コマンドを前記サーバに送信するように配置されることを特徴とする請求項１５に記載のシステム。
【発明の詳細な説明】
【技術分野】
【０００１】
本発明は通信技術に関し、特に装置の動作状態を設定する方法、装置及びシステムに関する。
【０００２】
本発明は出願番号２０１５１０７１９２３９．９であり、出願日２０１５年１０月２９日である中国特許出願に基づいて提出され、該中国特許出願の優先権を主張し、該中国特許出願の全ての内容はここで参考として本発明に引用される。
【背景技術】
【０００３】
シャオミスマートホームアプリケーションプログラム（Ａｐｐｌｉｃａｔｉｏｎはａｐｐと略称する）は、シャオミ科技により研究開発され、スマート装置のアクセス、バインディング、制御などの操作に用いられる携帯電話のクライアントソフトウェアであり、ユーザーはアカウントを使用しシャオミスマートホームａｐｐにログインすれば、シャオミのスマート装置（例えば、スマートコンセント、空気清浄機、電球など）をサーバにアクセスすることができ、さらに、ユーザーはスマート装置を自分のアカウントとバインディングすることができ、そのようにスマート装置はアカウントがバインディングされるａｐｐから送信された制御コマンドのみを受信することができ、スマート装置のプライベートを確保する。ユーザーが単独にスマート装置を制御することに加えて、シャオミスマートホームａｐｐによりスマートシーンモードを設定することができ、複数のスマート装置又はトリガー条件に関連付け、複数装置の連動を行い、豊かで有効的なスマートシーンが形成される。
【０００４】
ユーザーはスマート装置を使用する時、より静かで快適な環境を獲得するために、家におけるスマート装置をサイレントモードに設定し、休みの時に煩わされることを防止し、家におけるスマート装置が多い場合、ユーザーは自分で各スマート装置をサイレントモードに設定したり、または解除する必要がある。
【発明の概要】
【発明が解決しようとする課題】
【０００５】
かかる技術に存在する問題を解決するために、本発明は装置の動作状態を設定する方法、装置及びシステムを提供する。
【課題を解決するための手段】
【０００６】
本発明の実施例の第１態様によれば、第１装置の動作モードを検出することと、第１装置に関連する第２装置を制御して動作モードを第１装置の動作モードにマッチングするターゲットモードに調整させることと、を含む装置の動作状態を設定する方法を提供している。
【０００７】
好ましくは、第１装置に関連する第２装置を制御して動作モードをターゲットモードに調整させることは、第１装置に関連する装置情報を含む関連装置情報を第１装置に送信することと、第１装置から送信された関連装置情報に対する選択コマンドを受信すること、及び選択コマンドにより指示される第２装置を制御して動作モードをターゲットモードに調整させることと、を含む。
【０００８】
好ましくは、関連装置情報は、第１装置に関連し、現在の動作モードが第１装置の動作モードにマッチングしない装置情報を含む。
【０００９】
好ましくは、第１装置に関連する第２装置を制御して動作モードをターゲットモードに調整させることは、第１装置がサイレントモードにあると検出した場合に応答し、第２装置を制御してサイレントモードに調整させることを含む。
【００１０】
好ましくは、第１装置のモードを検出することは、第１装置から送信されたサイレントモードコマンドを受信することと、サイレントモードコマンドを受信した場合に応答し、第１装置がサイレントモードにあることを確定することと、を含む。
【００１１】
好ましくは、ターゲットモードは第１装置の動作モードと同じである。
【００１２】
本発明の実施例の第２態様によれば、現在の動作モードを検出することと、動作モード情報を含む第１通知メッセージをサーバに送信することと、サーバから送信され第１通知メッセージに基づき取得された、関連した装置情報を含む関連装置情報を出力することと、関連装置情報に対する選択操作を検出すること、及び選択操作を検出した場合に応答し、サーバが選択コマンドにより指示される第２装置を制御して動作モードをターゲットモードに調整させるように指示するための選択コマンドをサーバに送信することと、を含む装置の動作状態を設定する方法を提供している。
【００１３】
好ましくは、関連装置情報は、第１装置に関連し、現在の動作モードが第１装置の動作モードにマッチングしない装置情報を含む。
【００１４】
好ましくは、装置の動作状態を設定する該方法は、現在の動作モードがサイレントモードであると検出した後、第１装置がサイレントモードを設定していることを音声でユーザーに通知する。
【００１５】
本発明の実施例の第３態様によれば、第１装置の動作モードを検出するように配置された検出モジュールと、第１装置に関連する第２装置を制御して動作モードを検出モジュールにより検出された第１装置の動作モードにマッチングするターゲットモードに調整させるように配置された制御モジュールと、を含む装置の動作状態を設定する装置を提供している。
【００１６】
好ましくは、制御モジュールは、第１装置に関連する装置情報を含む関連装置情報を第１装置に送信するように配置された送信サブモジュールと、第１装置から送信された関連装置情報に対する選択コマンドを受信するように配置された受信サブモジュールと、選択コマンドにより指示される第２装置を制御して動作モードをターゲットモードに調整させるように配置された制御サブモジュールとを含む。
【００１７】
好ましくは、関連装置情報は、第１装置に関連し、現在の動作モードが第１装置の動作モードにマッチングしない装置情報を含む。
【００１８】
好ましくは、制御モジュールは、検出モジュールが第１装置がサイレントモードにあると検出した場合に応答し、第２装置を制御してサイレントモードに調整させるように配置されたサイレント制御サブモジュールを含む。
【００１９】
好ましくは、検出モジュールは、第１装置から送信されたサイレントモードコマンドを受信するように配置された第２受信サブモジュールと、第２受信サブモジュールがサイレントモードコマンドを受信した場合に応答し、第１装置がサイレントモードにあることを確定するように配置された確定サブモジュールと、を含む。
【００２０】
好ましくは、ターゲットモードは第１装置の動作モードと同じである。
【００２１】
本発明の実施例の第４態様によれば、現在の動作モードを検出するように配置された第１検出モジュールと、動作モード情報を含む第１通知メッセージをサーバに送信するように配置された第１送信モジュールと、サーバから送信され第１通知メッセージに基づき取得された、関連した装置情報を含む関連装置情報を出力するように配置された出力モジュールと、関連装置情報に対する選択操作を検出するように配置された第２検出モジュール、及び第２検出モジュールが選択操作を検出した場合に応答し、サーバが選択コマンドにより指示される第２装置を制御して動作モードをターゲットモードに調整させるように指示するための選択コマンドをサーバに送信するように配置された第２送信モジュールと、を含む装置の動作状態を設定する装置を提供している。
【００２２】
好ましくは、関連装置情報は、第１装置に関連し、現在の動作モードが第１装置の動作モードにマッチングしない装置情報を含む。
【００２３】
好ましくは、装置の動作状態を設定する装置は、第１検出モジュールが現在の動作モードがサイレントモードであると検出した後、第１装置がサイレントモードを設定していることを音声でユーザーに通知するように配置された通知モジュールを含む。
【００２４】
本発明の実施例の第５態様によれば、第１装置の動作モードを検出し、第１装置に関連する第２装置を制御して動作モードを第１装置の動作モードにマッチングするターゲットモードに調整させるように配置された、プロセッサと、プロセッサが実行可能なコマンドを記憶するメモリと、を含む装置の動作状態を設定する装置を提供している。
【００２５】
本発明の実施例の第６態様によれば、現在の動作モードを検出し、動作モード情報を含む第１通知メッセージをサーバに送信し、サーバから送信され第１通知メッセージに基づき取得された、関連した装置情報を含む関連装置情報を出力し、関連装置情報に対する選択操作を検出し、選択操作を検出した場合に応答し、サーバが選択コマンドにより指示される第２装置を制御して動作モードをターゲットモードに調整させるように指示するための選択コマンドをサーバに送信するように配置された、プロセッサと、プロセッサが実行可能なコマンドを記憶するメモリと、を含む装置の動作状態を設定する装置を提供している。
【００２６】
本発明の実施例の第７態様によれば、第１装置と、サーバ、及び少なくとも一つの第２装置と、を含みサーバは、第１装置の動作モードを検出し、第１装置に関連する第２装置を制御して動作モードを第１装置の動作モードにマッチングするターゲットモードに調整させるように配置され、好ましくは、第１装置は、現在の動作モードを検出し、動作モード情報を含む第１通知メッセージをサーバに送信し、サーバから送信され第１通知メッセージに基づき取得された、関連した装置情報を含む関連装置情報を出力し、関連装置情報に対する選択操作を検出し、選択操作を検出した場合に応答し、サーバが選択コマンドにより指示される第２装置を制御して動作モードをターゲットモードに調整させるように指示するための選択コマンドをサーバに送信するように配置され、サーバは、さらに第１装置に、関連する装置情報を送信し、第１装置から送信された選択コマンドを受信し、選択コマンドにより指示される第２装置を制御して動作モードをターゲットモードに調整させるように配置される、装置の動作状態を設定するシステムを提供している。
【発明の効果】
【００２７】
本発明の実施例により提供される技術的解決手段は下記のような好適な効果を含むことができる。
【００２８】
サーバは第１装置の動作モードを検出することにより、第１装置に関連する第２装置を制御して動作モードを第１装置の動作モードにマッチングするターゲットモードに調整させる。該方法においてユーザーは第１装置の動作モードを設定するだけで、サーバは第１装置の動作モードに基づき第１装置に関連する第２装置を制御して動作モードをターゲットモードに調整し、よって装置の動作状態をより便利で迅速に設定することができる。
【００２９】
ここで理解すべきことは、以上の一般的な説明と後の詳細な説明は例示的なものに過ぎず、本発明を限定するものではない。
【図面の簡単な説明】
【００３０】
ここの図面は明細書に合せされ本明細書の一部を構成し、本発明に適合する実施例を示し、明細書と共に本発明の原理を解釈するのに用いられる。
【図１】一例示的な実施例により示された装置の動作状態を設定する方法のフローチャートである。
【図２】一例示的な実施例により示された装置の動作状態を設定する方法のフローチャートである。
【図３】一例示的な実施例により示された装置の動作状態を設定する方法のフローチャートである。
【図４】一例示的な実施例により示された装置の動作状態を設定する方法のフローチャートである。
【図５】一例示的な実施例により示された装置の動作状態を設定する方法のフローチャートである。
【図６】一例示的な実施例により示された装置の動作状態を設定する装置のブロック図である。
【図７】一例示的な実施例により示された装置の動作状態を設定する装置のブロック図である。
【図８】一例示的な実施例により示された装置の動作状態を設定する装置のブロック図である。
【図９】一例示的な実施例により示された装置の動作状態を設定する装置のブロック図である。
【図１０】一例示的な実施例により示された装置の動作状態を設定する装置のブロック図である。
【図１１】一例示的な実施例により示された装置の動作状態を設定する装置のブロック図である。
【図１２】一例示的な実施例により示された装置の動作状態を設定する装置の実体のブロック図である。
【図１３】一例示的な実施例により示された装置の動作状態を設定する装置の実体のブロック図である。
【図１４】一例示的な実施例により示された第１装置に用いられるブロック図である。
【図１５】一例示的な実施例により示されたサーバに用いられるブロック図である。
【図１６】一例示的な実施例により示された装置の動作状態を設定するシステムのブロック図である。
【発明を実施するための形態】
【００３１】
ここで例示的な実施例について詳しく説明し、その実例は図面に示す通りである。下記の説明が図面に関わる時、別途に表示されない限り、異なる図面における同じ数字は同じ又は類似する要素を表示する。以下の例示的な実施例に説明される実施形態は本発明と一致する全ての実施形態を代表するわけではない。逆に、それらは添付の特許請求の範囲に詳細に記載された本発明の一部の態様と一致する装置と方法の例に過ぎない。
【００３２】
図１は一例示的な実施例により示された装置の動作状態を設定する方法のフローチャートであり、装置の動作状態を設定する該方法はサーバに用いられ、図１に示すように、該装置の動作状態を設定する方法は下記ステップを含む。
【００３３】
ステップＳ１０１において、第１装置の動作モードを検出する。
【００３４】
サーバは第１装置の動作モードを自主的に検出することができ、第１装置により自分の動作モードを自主的に報告することができる。例えば、第１装置の動作モードが変化する時、第１装置によりサーバに自分の動作モードを自主的に報告し、このようにサーバは第１装置の動作モードを検出することができる。又は、サーバが第１装置の動作モードを検出するように、サーバは第１装置に検出要求を周期的に送信し、第１装置はサーバから送信された検出要求を受信した後、検出応答に含まれてサイレントモード、バイブレーションモード、通常モードを含む第１装置の動作モードをサーバに返す。
【００３５】
ステップＳ１０２において、第１装置に関連する第２装置を制御して動作モードを第１装置の動作モードにマッチングするターゲットモードに調整させる。
【００３６】
第１装置はスマートフォン、タブレットパソコンなどであってもよく、相応的に、第２装置はスマートコンセント、空気清浄機、電球、冷蔵庫などのようなスマートホーム装置であってもよい。第２装置はインストールされたクライアントによりサーバにアクセスすることができ、例えば、シャオミスマートホームａｐｐはスマート装置のアクセス、バインディング、制御などの操作に用いることができるクライアントソフトウェアであり、ユーザーはシャオミアカウントを使用し該ａｐｐにログインしシャオミのスマート装置をサーバにアクセスすることができる。ユーザーが該ａｐｐによりそのスマート装置を単独に制御することに加えて、該ａｐｐによりスマートシーンモードを設定することができ、複数のスマート装置又は複数のトリガー条件を関連付け、複数の装置の連動管理を行い、本実施例の方法は主にスマートシーンモードに応用され、複数のスマート装置を移動端末に関連付ける。
【００３７】
本実施例において、サーバは第１装置の動作モードを検出した後、第１装置に関連する第２装置を制御して動作モードをターゲットモードに調整させることができ、第１装置と第２装置の関連関係がサーバに予め配置されることができ、必要な時にサーバにより第１装置から得られることができる。
【００３８】
ターゲットモードが第１装置の動作モードにマッチングすることは、ターゲットモードが第１装置の動作モードと同じであり、即ちサーバが第１装置の動作モードを検出した後、第１装置の動作モードと同じであるように第２装置の動作モードを調整し、すなわち、第１装置と第２装置はいずれもサイレントモードにあることを含む。第２装置の動作モードは第１装置の動作モードと異なってもよく、例えば、第１装置の動作モードがサイレントモードである場合、第２装置の動作モードをバイブレーションモードに調整し、又は、第１装置の動作モードがサイレントモードである場合、第２装置の動作モードを第２装置の音量が非常に小さい小音量モードに調整し、小音量モードにおいてユーザー又は他人の休憩に影響することがない。本実施例の方法により、ユーザーは第１装置の動作モードを手動で設定するだけで、サーバは第１装置の動作モードに基づき第１装置に関連する第２装置を自動的に制御して動作モードをターゲットモードに調整し、ユーザーが順番に各第２装置の動作モードを手動で設定することを避け、ユーザーは装置の動作状態を便利に設定でき、ユーザーに良いユーザー体験を提供する。
【００３９】
一般的な場面において、ユーザーが休憩又は仕事する時に、音声を出してユーザーに煩わすことを避けるために、スマートフォン、家のスマートコンセント、空気清浄機、電球、冷蔵庫などのスマート装置をサイレントモードに調整しなければならない。例えば、本発明の方法を採用すれば、ユーザーはスマートフォンのモードをサイレントモードに設定して、サーバはスマートフォンの動作モードがサイレントモードであると検出した後、スマートフォンに関連するスマートコンセント、空気清浄機、電球、冷蔵庫などのスマート装置の動作モードを制御して全てサイレントモードに調整させる。
【００４０】
本実施例の装置の動作状態を設定する方法により、サーバは第１装置の動作モードを検出することにより、第１装置に関連する第２装置を制御して動作モードを第１装置の動作モードにマッチングするターゲットモードに調整させる。該方法においてユーザーは第１装置の動作モードを設定するだけで、サーバは第１装置の動作モードに基づき第１装置に関連する第２装置を自動的に制御して動作モードをターゲットモードに調整し、よって装置の動作状態をより便利で迅速に設定することができる。
【００４１】
図２は一例示的な実施例により示された装置の動作状態を設定する方法のフローチャートであり、図２を示すように、本実施例は図１に示すような実施例を基にして、動作モードをターゲットモードに調整させるように装置をどのように制御するかをさらに説明し、本実施例の装置の動作状態を設定する方法は以下のステップを含む。
【００４２】
ステップＳ２０１において、第１装置の動作モードを検出する。
【００４３】
ステップＳ２０２において、第１装置に関連する装置情報を含む関連装置情報を第１装置に送信する。
【００４４】
関連装置情報は、第１装置に関連し、現在の動作モードが第１装置の動作モードにマッチングしない装置情報を含むことができる。第１装置に関連する装置はサーバに予め配置され、サーバは第１装置の動作モードを検出することができるだけでなく、第１装置に関連する装置の動作モードを検出することができ、よってどの装置の動作モードが第１装置と同じであるか、どの装置の動作モードが第１装置と異なるかを確定し、第１装置に関連し、現在の動作モードが第１装置の動作モードにマッチングしない装置情報を関連装置に送信する。
【００４５】
ステップＳ２０３において、第１装置から送信された関連装置情報に対する選択コマンドを受信する。
【００４６】
第１装置はサーバから送信された関連装置情報を受信した後、第１装置に関連する装置からどの装置の動作モードを調整させるかを選択し、一実施形態において、第１装置はサーバから送信され第１装置に関連する装置情報をリストでユーザーに表示し、ユーザーは自分のニーズにより調整が必要である第２装置を選択し、ユーザーは第１装置に関連する全ての装置を選択して調整を行うことができ、一部の装置を選択して調整を行うこともでき、ユーザーの選択により第１装置はサーバに関連装置情報に対する選択コマンドを送信し、選択コマンドにより調整が必要である第２装置を指示する。
【００４７】
ステップＳ２０４において、選択コマンドにより指示される第２装置を制御して動作モードをターゲットモードに調整させる。
【００４８】
サーバは選択コマンドを受信した後、選択コマンドにより指示される第２装置を制御して動作モードをターゲットモードに調整し、サーバは第２装置にターゲットモードを含む動作モードの調整コマンドを送信することができ、第２装置は動作モードの調整コマンドを受信した後、動作モードを動作モードの調整コマンドに含まれるターゲットモードに調整させる。
【００４９】
例えば、サーバはスマートフォンの動作モードがサイレントモードであると検出した後、スマートコンセント、空気清浄機、電球、冷蔵庫などのスマート関連装置の情報をスマートフォンに送信し、ユーザーはスマートフォンによりどの関連装置を調整させるかを選択し、スマートフォンは関連装置情報に対する選択コマンドをサーバに送信し、サーバは選択コマンドに基づき、選択コマンドにより指示される関連装置を制御して動作モードをサイレントモードに調整し、ユーザーはスマートコンセント、空気清浄機の動作モードのみの調整を選択する場合、サーバはスマートコンセント、空気清浄機の動作モードのみをサイレントモードに調整させる。
【００５０】
本実施例の装置の動作状態を設定する方法により、サーバは第１装置の動作モードを検出し、第１装置に関連する装置情報を含む関連装置情報を第１装置に送信し、第１装置から送信された関連装置情報に対する選択コマンドを受信し、選択コマンドにより指示される第２装置を制御して動作モードをターゲットモードに調整させる。該方法においてサーバは第１装置に関連装置情報を送信することにより、ユーザーは自分の実際のニーズに基づきどの第２装置の動作モードを調整させるかを選択することができ、調整方式はより柔軟かつ便利であり、ユーザー体験を向上させる。
【００５１】
図３は一例示的な実施例により示された装置の動作状態を設定する方法のフローチャートであり、図３を示すように、本実施例は図１に示すような実施例を基にして、第１装置の動作モードがサイレントモードであることを例として説明し、本実施例の装置の動作状態を設定する方法は以下のステップを含む。
【００５２】
ステップＳ３０１において、第１装置から送信されたサイレントモードコマンドを受信する。
【００５３】
本実施例において、第１装置がサイレントモードに設定された後、サーバにサイレントモードコマンドを自主的に送信することができ、自分の動作モードがサイレントモードであることをサーバに通知する。
【００５４】
ステップＳ３０２において、サイレントモードコマンドを受信した場合に応答し、第１装置がサイレントモードにあることを確定する。
【００５５】
サーバは第１装置から送信されたサイレントモードコマンドを受信した後、第１装置がサイレントモードにあることを確定する。
【００５６】
ステップＳ３０３において、第１装置がサイレントモードにあると検出した場合に応答し、第２装置を制御してサイレントモードに調整させる。
【００５７】
一実施形態において、実施例２におけるステップＳ２０２からＳ２０４までの方法を採用し第２装置を制御してサイレントモードに調整し、その実施形態をここで詳しく説明しない。他の実施形態において、サーバは第１装置がサイレントモードにあることを確定した後、直接に第１装置に関連する全ての装置を第２装置とし、ユーザーによる選択の必要がなく、その後、第２装置のサイレントモードの設定と解除は第１装置のサイレントモードの設定と解除に一致することを実現するように、第２装置を制御してサイレントモードに調整し、すなわち、第１装置はサイレントモードを設定した後、第２装置もサイレントモードを設定し、第１装置はサイレントモードを解除した後、第２装置もサイレントモードを解除する。
【００５８】
本実施例の装置の動作状態を設定する方法により、サーバは第１装置から送信されたサイレントモードコマンドを受信することにより、サイレントモードコマンドを受信した場合に応答し、第１装置がサイレントモードにあることを確定し、第１装置に関連する第２装置を制御して動作モードをサイレントモードに調整させる。該方法においてユーザーは第１装置の動作モードをサイレントモードに設定するだけで、サーバは第１装置の動作モードに基づき第１装置に関連する第２装置を制御して動作モードをサイレントモードに調整し、よって装置の動作状態をより便利で迅速に設定することができる。
【００５９】
図４は一例示的な実施例により示された装置の動作状態を設定する方法のフローチャートであり、図４に示すように、該装置の動作状態を設定する方法は第一装置に用いられ、装置の動作状態を設定する該方法は下記ステップを含む。
【００６０】
ステップＳ４０１において、現在の動作モードを検出する。
【００６１】
第１装置は現在の動作モードを検出し、第１装置はスマートフォン、タブレットパソコンなどであってもよく、スマートフォンを例として、スマートフォンの動作モードはサイレントモード、通常モード、バイブレーションモードなどを含み、サイレントモードにおいて、スマートフォンは着信通話、情報通知を受信すれば、音声でユーザーに通知することができず、ユーザーは着信通話、情報通知を聞こえない。
【００６２】
ステップＳ４０２において、動作モード情報を含む第１通知メッセージをサーバに送信する。
【００６３】
第１装置は動作モードを検出した後、サーバに第１通知メッセージを送信し、サーバに自分の動作モードを通知する。
【００６４】
ステップＳ４０３において、サーバから送信され第１通知メッセージに基づき取得された、関連した装置情報を含む関連装置情報を出力する。
【００６５】
サーバは第１装置から送信された第１通知メッセージを受信した後、第１通知メッセージに基づき、第１装置に関連し、現在の動作モードが第１装置の動作モードにマッチングしない装置情報を含む第１装置に関連した装置情報を取得し、第１装置に送信する。第１装置は第１通知メッセージを受信した後、関連装置情報を出力し、第１装置はリストで関連した装置情報をユーザーに表示することができ、ユーザーが選択する。好ましくは、第１通知メッセージにはユーザーＩＤが含まれ、ユーザーＩＤはサーバが第１装置に関連する装置を確定するのに用いられ、ユーザーはどの装置がユーザーＩＤに関連するかを選択することができ、装置とユーザーＩＤの関連関係をサーバに予め配置することができ、一つのユーザーＩＤは複数の装置に対応する。ユーザーＩＤは各スマート装置をシャオミスマートホームａｐｐにログインする時に使用されるログインアカウントであってもよく、普通ユーザーは同じログインアカウントで家における全てのスマート装置をサーバにアクセスし、ユーザーＩＤはその他のＩＤであってもよい。サーバは第１通知メッセージを受信した後、ユーザーＩＤに基づきどの装置が第１装置に関連するかを確定する。
【００６６】
ステップＳ４０４において、関連装置情報に対する選択操作を検出する。
【００６７】
第１装置が関連装置情報を出力した後、ユーザーは選択して、第１装置に関連した装置において動作モードを調整させることが必要である関連装置を選択し、第１装置はユーザーの関連装置情報に対する選択操作を検出することができる。
【００６８】
ステップＳ４０５において、選択操作を検出した場合に応答し、サーバが選択コマンドにより指示される第２装置を制御して動作モードをターゲットモードに調整させるように指示するための選択コマンドをサーバに送信する。
【００６９】
第１装置はユーザーの関連装置情報に対する選択操作を検出した後、サーバに選択コマンドを送信し、サーバは選択コマンドを受信した後、第２装置を制御して動作モードをターゲットモードに調整させる。
【００７０】
好ましくは、第１装置は、現在の動作モードがサイレントモードであると検出した後、第１装置がスピーカーを備える場合、ユーザーが第１装置の動作状態を適時に了解するように、第１装置がサイレントモードを設定していることを音声でユーザーに通知することができる。
【００７１】
例えば、スマートフォンは現在の動作モードがサイレントモードであると検出した後、スマートフォンの動作モードが含まれる第１通知メッセージをサーバに送信し、スマートフォンはサーバが第１通知メッセージに基づき返した、スマートフォンに関連するスマートコンセント、空気清浄機、電球、冷蔵庫などの装置の情報を含む関連装置情報を受信し、スマートフォンは関連装置情報をユーザーに出力し、ユーザーはスマートコンセント、空気清浄機、電球、冷蔵庫などの装置から調整が必要である装置を選択し、ユーザーが選択した後、スマートフォンは関連装置情報に対する選択操作を検出することができ、サーバが選択コマンドにより指示される第２装置を制御して動作モードをサイレントモードに調整させるように指示するための選択コマンドをサーバに送信する。
【００７２】
本実施例の装置の動作状態を設定する方法により、第１装置は現在の動作モードを検出し、動作モード情報を含む第１通知メッセージをサーバに送信し、サーバから送信されて第１通知メッセージに基づき取得された、関連した装置情報を含む関連装置情報を出力し、関連装置情報に対する選択操作を検出し、選択操作を検出した場合に応答し、サーバが選択コマンドにより指示される第２装置を制御して動作モードをターゲットモードに調整させるように指示するための選択コマンドをサーバに送信する。該方法においてユーザーは第１装置の動作モードを設定するだけで、第１装置は動作モードをサーバに通知し、サーバは第１装置の動作モードに基づき第１装置に関連する第２装置を自動的に制御して動作モードをターゲットモードに調整し、よって装置の動作状態をより便利で迅速に設定することができる。
【００７３】
図５は一例示的な実施例により示された装置の動作状態を設定する方法のフローチャートであり、図５に示すように、本実施例の装置の動作状態を設定する方法は下記ステップを含む。
【００７４】
ステップＳ５０１において、第１装置は現在の動作モードを検出する。
【００７５】
ステップＳ５０２において、第１装置は動作モード情報を含む第１通知メッセージをサーバに送信する。
【００７６】
ステップＳ５０３において、サーバは第１通知メッセージに基づき、第１装置に関連し、現在の動作モードが第１装置の動作モードにマッチングしない装置情報を含む関連装置情報を取得する。
【００７７】
ステップＳ５０４において、サーバは第１装置に関連装置情報を送信する。
【００７８】
ステップＳ５０５において、第１装置は関連装置情報を出力する。
【００７９】
ステップＳ５０６において、第１装置は関連装置情報に対する選択操作を検出する。
【００８０】
ステップＳ５０７において、第１装置は選択操作を検出したことに応答し、サーバが選択コマンドにより指示される第２装置を制御して動作モードをターゲットモードに調整させるように指示するための選択コマンドをサーバに送信する。
【００８１】
ステップＳ５０８において、サーバは選択コマンドに基づき第２装置にターゲットモードを含む動作モード調整コマンドを送信する。
【００８２】
ステップＳ５０９において、第２装置は動作モード調整コマンドに基づき動作モードをターゲットモードに調整させる。
【００８３】
ステップＳ５１０において、第２装置は動作モード調整確認コマンドをサーバに返す。
【００８４】
第２装置は動作モードをターゲットモードに調整した後、動作モード調整確認コマンドをサーバに返し、ターゲットモードに調整したことを確定する。
【００８５】
例えば、ユーザーはスマートフォンの動作モードをサイレントモードに設定した後、サーバはスマートフォンのサイレントモードに基づき、スマートフォンに関連するスマートコンセント、空気清浄機、電球、冷蔵庫などの装置の動作モードをサイレントモードに設定し、スマートコンセント、空気清浄機、電球、冷蔵庫はサーバのコマンドに基づき動作モードをサイレントモードに設定した後、それぞれ調整確認コマンドをサーバに返し、サーバは各装置から返された調整確認コマンドを受信した後、各装置が動作モードをサイレントモードに調整したことを確定する。
【００８６】
本実施例の装置の動作状態を設定する方法により、ユーザーは第１装置の動作モードを設定するだけで、第１装置は動作モードをサーバに通知し、サーバは第１装置の動作モードに基づき第１装置に関連する第２装置を自動的に制御して動作モードをターゲットモードに調整し、よって装置の動作状態をより便利で迅速に設定することができる。
【００８７】
図６は一例示的な実施例により示された装置の動作状態を設定する装置のブロック図であり、図６に示すように、装置の動作状態を設定する該装置はサーバに用いられ、装置の動作状態を設定する該装置は、
第１装置の動作モードを検出するように配置された検出モジュール１１と、
第１装置に関連する第２装置を制御して動作モードを検出モジュール１１により検出された第１装置の動作モードにマッチングするターゲットモードに調整させるように配置された制御モジュール１２と、を含む。
【００８８】
好ましくは、ターゲットモードは第１装置の動作モードと同じである。
【００８９】
図７は一例示的な実施例により示された装置の動作状態を設定する装置のブロック図であり、図７に示すように、図６に示すような装置の動作状態を設定する装置を基にして、制御モジュール１２は、第１装置に関連する装置情報を含む関連装置情報を第１装置に送信するように配置された送信サブモジュール１２１と、第１装置から送信された関連装置情報に対する選択コマンドを受信するように配置された受信サブモジュール１２２と、選択コマンドにより指示される第２装置を制御して動作モードをターゲットモードに調整させるように配置された制御サブモジュール１２３と、を含む。
【００９０】
好ましくは、関連装置情報は、第１装置に関連し、現在の動作モードが第１装置の動作モードにマッチングしない装置情報を含む。
【００９１】
図８は一例示的な実施例により示された装置の動作状態を設定する装置のブロック図であり、図８に示すように、図６に示すような装置の動作状態を設定する装置を基にして、制御モジュール１２は、検出モジュール１１により第１装置がサイレントモードにあると検出した場合に応答し、第２装置を制御してサイレントモードに調整させるように配置されたサイレント制御サブモジュール１２４、を含む。
【００９２】
図９は一例示的な実施例により示された装置の動作状態を設定する装置のブロック図であり、図９に示すように、図８に示すような装置の動作状態を設定する装置を基にして、検出モジュール１１は、第１装置から送信されたサイレントモードコマンドを受信するように配置された第２受信サブモジュール１１１と、第２受信サブモジュール１１１がサイレントモードコマンドを受信した場合に応答し、第１装置がサイレントモードにあることを確定するように配置された確定サブモジュール１１２と、を含む。
【００９３】
図１０は一例示的な実施例により示された装置の動作状態を設定する装置のブロック図であり、図１０に示すように、装置の動作状態を設定する該装置は第１装置に用いられ、該装置の動作状態を設定する装置は、現在の動作モードを検出するように配置された第１検出モジュール２１と、動作モード情報を含む第１通知メッセージをサーバに送信するように配置された第１送信モジュール２２と、サーバから送信され第１通知メッセージに基づき取得された、関連した装置情報を含む関連装置情報を出力するように配置された出力モジュール２３と、関連装置情報に対する選択操作を検出するように配置された第２検出モジュール２４と、第２検出モジュール２４が選択操作を検出した場合に応答し、サーバが選択コマンドにより指示される第２装置を制御して動作モードをターゲットモードに調整させるように指示するための選択コマンドをサーバに送信するように配置された第２送信モジュール２５と、を含む。
【００９４】
好ましくは、関連装置情報は、第１装置に関連し、現在の動作モードが第１装置の動作モードにマッチングしない装置情報を含む。
【００９５】
図１１は一例示的な実施例により示された装置の動作状態を設定する装置のブロック図であり、図１１に示すように、図１０に示すような装置の動作状態を設定する装置を基にして、装置の動作状態を設定する装置は、第１検出モジュールが現在の動作モードがサイレントモードであると検出した後、第１装置がサイレントモードを設定していることを音声でユーザーに通知するように配置された通知モジュール２６を含む。
【００９６】
該方法に相関する実施例において各モジュールにより操作する方式を詳しく記述したので、ここで上記実施例に関する装置の動作状態を設定する装置を詳しく説明しない。
【００９７】
図１２は一例示的な実施例により示された装置の動作状態を設定する装置の実体のブロック図であり、図１２に示すように、装置の動作状態を設定する該装置はサーバに用いられ、装置の動作状態を設定する装置３００は、第１装置の動作モードを検出し、第１装置に関連する第２装置を制御して動作モードを第１装置の動作モードにマッチングするターゲットモードに調整させるように配置された、プロセッサ３１と、プロセッサ３１が実行可能なコマンドを記憶し、システムバスを介してプロセッサ３１に接続されて通信するメモリ３２と、を含む。
【００９８】
図１３は一例示的な実施例により示された装置の動作状態を設定する装置の実体のブロック図であり、図１３に示すように、装置の動作状態を設定する該装置はサーバに用いられ、装置の動作状態を設定する装置４００は、現在の動作モードを検出し、動作モード情報を含む第１通知メッセージをサーバに送信し、サーバから送信され、第１通知メッセージに基づき取得された、関連した装置情報を含む関連装置情報を出力し、関連装置情報に対する選択操作を検出し、選択操作を検出した場合に応答し、サーバが選択コマンドにより指示される第２装置を制御して動作モードをターゲットモードに調整させるように指示するための選択コマンドをサーバに送信するように配置された、プロセッサ４１と、プロセッサ４１が実行可能なコマンドを記憶し、システムバスを介してプロセッサ４１に接続されて通信するメモリ４２と、を含む。
【００９９】
上記の装置の動作状態を設定する装置の実体の実施例において、理解すべきことは、プロセッサは中央処理装置（英語、Ｃｅｎｔｒａｌ  Ｐｒｏｃｅｓｓｉｎｇ  Ｕｎｉｔ、ＣＰＵと略称する）であってもよく、その他の汎用処理装置、デジタル信号処理器（英語、Ｄｉｇｉｔａｌ  Ｓｉｇｎａｌ  Ｐｒｏｃｅｓｓｏｒ、ＤＳＰと略称する）、特定用途向け集積回路（英語、Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣと略称する）などであってもよい。汎用処理装置はマイクロプロセッサであってもよく、又は該プロセッサは任意の従来のプロセッサなどであってもよいが、前記メモリは読み取り専用メモリ（英語、ｒｅａｄ−ｏｎｌｙ  ｍｅｍｏｒｙ、ＲＯＭと略称する）、ランダムアクセスメモリ（英語、ｒａｎｄｏｍ  ａｃｃｅｓｓ  ｍｅｍｏｒｙ、ＲＡＭと略称する）、フラッシュメモリ、ハードディスク又はソリッドステートディスクなどであってもよい。本発明の実施例により開示された方法を結合するステップはハードウェアプロセッサで実行でき、又はプロセッサにおけるハードウェア及びソフトウェアモジュールユニットで実行することができる。
【０１００】
図１４は一例示的な実施例により示された第１装置に用いられるブロック図である。例えば、参考文書の第１装置８００は、携帯電話、コンピュータ、デジタル放送端末、メッセージ送受信装置、ゲームコンソール、タブレット型デバイス、医療機器、フィットネス機器、個人用デジタル補助装置、ルーター、コーディネーターなどであってもよい。
【０１０１】
図１４に示すように、第１装置８００は、処理部８０２、メモリ８０４、電源部８０６、マルチメディア部８０８、音声部８１０、入力／出力（Ｉ／Ｏ）のインターフェース８１２、センサ部８１４、及び通信部８１６のうちの一つ又は複数の部材を含むことができる。
【０１０２】
処理部８０２は、一般的に第１装置８００の全体的操作、例えば、表示、電話呼び出し、データ通信、カメラ操作及び記録操作に関する操作を制御する。処理部８０２は、上記方法の全部又は一部のステップを完成するために、一つ又は複数のプロセッサ８２０を含んでコマンドを実行してもよい。さらに、処理部８０２は、その他のモジュールとのインタラクションを便利にするように、一つ又は複数のモジュールを含んでもよい。例えば、処理部８０２は、マルチメディア部８０８と処理部８０２とのインタラクションを便利にするように、マルチメディアモジュールを含んでもよい。
【０１０３】
メモリ８０４は、第１装置８００の操作をサポートするために、様々な種類のデータを記憶するように配置される。これらのデータの実例は、第１装置８００において操作される如何なるアプリケーション又は方法のコマンド、連絡先データ、電話帳データ、メッセージ、画像、ビデオなどを含む。メモリ８０４は、如何なる種類の揮発性又は不揮発性メモリ又はそれらの組合せ、例えば、スタティックランダムアクセスメモリ（ＳＲＡＭ）、電気的消去可能なプログラマブル読み取り専用メモリ（ＥＥＰＲＯＭ）、消去可能なプログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクにより実現することができる。
【０１０４】
電源部８０６は、第１装置８００の様々な部材のために電力を供給する。電源部８０６は、電源管理システム、一つ又は複数の電源、及びその他の第１装置８００のための電力の生成、管理及び供給に関連する部材を含むことができる。
【０１０５】
マルチメディア部８０８は、前記第１装置８００とユーザーの間の一つの出力インターフェースを提供するスクリーンを含む。一部の実施例において、スクリーンは液晶ディスプレイ（ＬＣＤ）とタッチパネル（ＴＰ）を含んでもよい。スクリーンにタッチパネルが含まれる場合、スクリーンはユーザーからの入力信号を受信するために、タッチスクリーンに実現されることができる。タッチパネルは、タッチ、スワイプ及びタッチパネルにおけるジェスチャーを感知するために、一つ又は複数のタッチセンサを含む。前記タッチセンサは、タッチ又はスワイプ動作の境界を感知するとともに、前記タッチ又はスワイプ動作に関わる持続時間及び圧力を検出することができる。一部の実施例において、マルチメディア部８０８は、フロントカメラ及び／又はバックカメラを含む。第１装置８００が操作モードである場合、例えば、撮影モード又はビデオモードである場合、フロントカメラ及び／又はバックカメラは外部のマルチメディアデータを受信することができる。各フロントカメラ及びバックカメラは、固定された光学レンズシステムであってもよく、又は焦点距離と光学ズーム能力を有する。
【０１０６】
音声部８１０は、音声信号を出力及び／又は入力するように配置される。例えば、音声部８１０は、マイクロホン（ＭＩＣ）を含み、第１装置８００が操作モードである場合、例えば、呼び出しモード、記録モード及び音声認識モードである場合、マイクロホンは外部の音声信号を受信するように配置される。受信された音声信号は、さらにメモリ８０４に記憶され、又は通信部８１６を介して送信される。一部の実施例において、音声部８１０は、さらに音声信号を出力するスピーカーを含む。
【０１０７】
Ｉ／Ｏインターフェース８１２は、処理部８０２と周辺インターフェース部との間にインターフェースを提供し、上記周辺インターフェース部は、キーボード、クリックホイール、ボタンなどであってもよい。これらのボタンは、ホームボタン、ボリュームボタン、スタートボタン及びホールドボタンを含むことができるが、それに限定されない。
【０１０８】
センサ部８１４は、一つ又は複数のセンサを含み、第１装置８００に各方面の状態評価を提供するためである。例えば、センサ部８１４は、第１装置８００のオン／オフ状態、部材の相対的位置決めを検出することができ、例えば、前記部材が第１装置８００のディスプレイ及びキーパッドであり、センサ部８１４は、さらに第１装置８００又は第１装置８００の一つの部材の位置変化、ユーザーと第１装置８００との接触の有無、第１装置８００の方角又は加速／減速及び第１装置８００の温度変化を検出することができる。センサ部８１４は、近接センサを含むことができ、如何なる物理的接触がない時、近傍物体の存在を検出するように配置される。センサ部８１４は、さらに光学センサ、例えば、ＣＭＯＳ又はＣＣＤイメージセンサを含むことができ、イメージングアプリケーションに用いられる。一部の実施例において、該センサ部８１４は、さらに加速度センサ、ジャイロセンサ、磁気センサ、圧力センサ又は温度センサを含むことができる。
【０１０９】
通信部８１６は、第１装置８００とその他の装置との有線又は無線方式による通信を便利にするように配置される。第１装置８００は、通信標準に基づく無線ネットワーク、例えば、Ｗｉ−Ｆｉ、２Ｇ又は３Ｇ、又はそれらの組み合わせにアクセスすることができる。一例示的な実施例において、通信部８１６は、放送チャネルを介して外部放送管理システムからの放送信号又は放送関連情報を受信する。一例示的な実施例において、通信部８１６は、狭域通信を促進するために、さらに近距離無線通信（ＮＦＣ）モジュールを含む。例えば、ＮＦＣモジュールにおいて、無線周波数認識（ＲＦＩＤ）技術、赤外線データ協会（ＩｒＤＡ）技術、超広帯域（ＵＷＢ）技術、ブルートゥース（ＢＴ）及びその他の技術に基づいて実現することができる。
【０１１０】
例示的な実施例において、第１装置８００は、一つ又は複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他の電子部品により実現することができ、上記方法を実行するのに用いられる。
【０１１１】
例示的な実施例において、さらに、コマンドを含む非一時的コンピュータ可読記憶媒体、例えば、コマンドを含むメモリ８０４を提供し、上記方法を完成するために、上記コマンドは第１装置８００のプロセッサ８２０により実行することができる。例えば、前記非一時的なコンピュータ可読記憶媒体は、ＲＯＭ、ランダムアクセスメモリ（ＲＡＭ）、ＣＤ−ＲＯＭ、磁気テープ、フロッピー（登録商標）ディスク及び光データ記憶装置などであってもよい。
【０１１２】
非一時的なコンピュータ読み取り可能な記憶媒体を提供し、前記記憶媒体におけるコマンドが移動端末におけるプロセッサにより実行される場合、第１装置が装置の動作状態を設定する方法を実行可能にし、装置の動作状態を設定する該方法は、現在の動作モードを検出することと、動作モード情報を含む第１通知メッセージをサーバに送信することと、サーバから送信され第１通知メッセージに基づき取得された、関連した装置情報を含む関連装置情報を出力することと、関連装置情報に対する選択操作を検出することと、選択操作を検出した場合に応答し、サーバが選択コマンドにより指示される第２装置を制御して動作モードをターゲットモードに調整させるように指示するための選択コマンドをサーバに送信することと、を含む。
【０１１３】
好ましくは、関連装置情報は、第１装置に関連し、現在の動作モードが第１装置の動作モードにマッチングしない装置情報を含む。
【０１１４】
好ましくは、装置の動作状態を設定する該方法は、さらに、現在の動作モードがサイレントモードであると検出した後、第１装置がサイレントモードを設定していることを音声でユーザーに通知することを含む。
【０１１５】
図１５は一例示的な実施例により示されたサーバに用いられるブロック図である。例えば、サーバ１９００はサーバとして提供されることできる。図１９に示すように、サーバ１９００は処理部材１９２２を含み、さらに一つ又は複数のプロセッサ、及び処理部材１９２２の実行可能なコマンド、例えば、アプリケーションプログラムを記憶するためのメモリ１９３２により代表されるメモリを含む。メモリ１９３２に記憶されるアプリケーションプログラムは、それぞれ一組のコマンドに対応する一つ又は一つ以上のモジュールを含むことができる。さらに、処理部材１９２２はコマンドを実行するように配置され、図１〜図３に示すような上記の装置の動作状態を設定する方法を実行する。
【０１１６】
サーバ１９００は、さらに、サーバ１９００の電源管理を実行するように配置された電源部材１９２６と、サーバ１９００をネットワークに接続させる有線又は無線ネットワークインターフェース１９５０、及び入出力（Ｉ／Ｏ）インターフェース１９５８を含むことができる。サーバ１９００は、メモリ１９３２に記憶された操作システム、例えば、Ｗｉｎｄｏｗｓ（登録商標）  ＳｅｒｖｅｒＴＭ、Ｍａｃ  ＯＳ  ＸＴＭ、Ｕｎｉｘ（登録商標）ＴＭ、Ｌｉｎｕｘ（登録商標）ＴＭ、ＦｒｅｅＢＳＤＴＭ又は類似するものを操作することができる。
【０１１７】
図１６は一例示的な実施例により示された装置の動作状態を設定するシステムのブロック図であり、図１６に示すように、装置の動作状態を設定するシステムは、第１装置５１と、サーバ５２と、少なくとも一つの第２装置５３を含み、サーバ５２は、第１装置５１の動作モードを検出し、第１装置５１に関連する第２装置５３を制御して動作モードを第１装置５１の動作モードにマッチングするターゲットモードに調整させるように配置される。
【０１１８】
好ましくは、第１装置５１は、現在の動作モードを検出し、動作モード情報を含む第１通知メッセージをサーバ５２に送信すし、サーバ５２から送信され第１通知メッセージに基づき取得された、関連した装置情報を含む関連装置情報を出力し、関連装置情報に対する選択操作を検出し、選択操作を検出した場合に応答し、サーバ５２が選択コマンドにより指示される第２装置５３を制御して動作モードをターゲットモードに調整させるように指示するための選択コマンドをサーバ５２に送信するように配置され、サーバ５２は、さらに、第１装置５１に、関連装置情報を送信し、第１装置５１から送信された選択コマンドを受信し、選択コマンドにより指示される第２装置５３を制御して動作モードをターゲットモードに調整させるように配置される。
【０１１９】
当業者であれば、明細書を考慮しここに開示された発明を実践した後、本発明のその他の実施様態を容易に想到できる。本発明は、本発明の如何なる変形、用途又は適応的変化を含むためのものであり、これらの変形、用途又は適応的変化は本発明の一般的な原理に準じ、本発明の開示されていない当該技術分野における一般的知識又は慣用の技術手段を含む。明細書と実施例は例示的なものに過ぎず、本発明の実際の範囲と精神は下記特許請求の範囲により与えられる。
【０１２０】
理解すべきことは、本発明は既に上記のように説明され、図面に示された正確な構造に限定されず、その範囲を逸脱しない限りにおいて様々な修正や変更を行うことができる。本発明の範囲は特許請求の範囲のみにより限定される。
【図１】
0006463500.tif 000002
【図２】
0006463500.tif 000003
【図３】
0006463500.tif 000004
【図４】
0006463500.tif 000005
【図５】
0006463500.tif 000006
【図６】
0006463500.tif 000007
【図７】
0006463500.tif 000008
【図８】
0006463500.tif 000009
【図９】
0006463500.tif 000010
【図１０】
0006463500.tif 000011
【図１１】
0006463500.tif 000012
【図１２】
0006463500.tif 000013
【図１３】
0006463500.tif 000014
【図１４】
0006463500.tif 000015
【図１５】
0006463500.tif 000016
【図１６】
0006463500.tif 000017